【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】  ブロック単位で入力されるブロック画像データをラスタ画像データに変換して出力する変換手段と、
上記変換手段により出力されたラスタ画像データを水平方向及び垂直方向に変倍する変倍手段とを設けたことを特徴とする画像処理装置。
【請求項２】  圧縮された画像データをブロック単位で伸張する伸張手段と、
上記伸張手段によって伸張されたブロック画像データを水平方向に分割してラスタ画像データに変換して出力する変換手段と、
上記変換手段により出力されたラスタ画像データを水平方向、垂直方向に変倍する変倍手段と、
上記変倍手段により変倍されたラスタ画像データを蓄積する蓄積手段とを設けたことを特徴とする画像処理装置。
【請求項３】  上記変倍手段により変倍されて順次に得られるラスタ画像データを上記蓄積手段の連続する領域に順次転送する制御手段を更に設けたことを特徴とする請求項２に記載の画像処理装置。
【請求項４】  上記変換手段から出力されるラスタ画像データの水平方向のピクセル数をａ、上記圧縮された画像データのＭＣＵ（Ｍｉｎｉｍｕｍ  Ｃｏｄｅｄ  Ｕｎｉｔ）の水平方向のピクセル数をｂ、上記変倍手段における水平方向の変倍比率をｄ／ｃとするとき、ａがｂとｃの最小公倍数の整数倍になるように制御することを特徴とする請求項２に記載の画像処理装置。
【請求項５】  上記変換手段から出力されるラスタ画像データの水平方向のピクセル数をａ、上記変倍手段における水平方向の変倍比率をｄ／ｃとするとき、ｄ／ｃを切り上げた値で近似して変倍することを特徴とする請求項２に記載の画像処理装置。
【請求項６】  圧縮された画像データをブロック単位で伸張する伸張手段と、
上記伸張手段によって伸張されたブロック画像データを水平方向に分割してラスタ画像データに変換して出力する変換手段と、
上記変換手段により出力されたラスタ画像データを水平方向に変倍する第１の変倍手段と、
上記第１の変倍手段により変倍されたラスタ画像データを蓄積する蓄積手段と、
上記蓄積手段から転送された上記変倍されたラスタ画像データを水平方向、垂直方向に変倍して上記蓄積手段に転送する第２の変倍手段とを設けたことを特徴とする画像処理装置。
【請求項７】  上記第１の変倍手段で変倍されて順次に得られるラスタ画像データを上記蓄積手段の連続する領域に順次に転送すると共に、その連続する複数のラスタ画像データを新たなラスタ画像データとして上記第２の変倍手段に転送する制御手段を更に設けたことを特徴とする請求項６に記載の画像処理装置。
【請求項８】  上記変換手段の出力と上記蓄積手段の出力との一方を選択して上記第２の変倍手段に転送する選択手段と、
上記変換手段の出力が選択されたときは、その出力に対して上記第２の変倍手段に、垂直方向の変倍、水平方向の変倍の順に変倍を行わせ、上記蓄積手段の出力が選択されたときは、その出力に対して上記第２の変倍手段に、水平方向の変倍、垂直方向の変倍の順に変倍を行わせる制御手段とを更に設けたことを特徴とする請求項６に記載の画像処理装置。
【請求項９】  上記変倍により画像を拡大するときは上記選択手段により上記変換手段の出力を選択することを特徴とする請求項８に記載の画像処理装置。
【請求項１０】  上記変換手段から出力されるラスタ画像データの水平方向のピクセル数をａ、上記圧縮された画像データのＭＣＵの水平方向のピクセル数をｂ、上記第１の変倍手段における変倍比率をｄ／ｃとするとき、ａがｂとｃの最小公倍数の整数倍になるように制御することを特徴とする請求項６に記載の画像処理装置。
【請求項１１】  上記変倍手段による変倍が画像の縮小であることを特徴とする請求項１、２又は６に記載の画像処理装置。
【請求項１２】  上記変倍手段による変倍が画像の拡大であることを特徴とする請求項１、２又は６に記載の画像処理装置。
【請求項１３】  ブロック単位で入力されるブロック画像データをラスタ画像データに変換する変換処理と、
上記変換されたラスタ画像データを水平方向及び垂直方向に変倍する変倍処理とをコンピュータに実行させるためのプログラムを記憶したことを特徴とするコンピュータ読み取り可能な記憶媒体。
【請求項１４】  圧縮された画像データをブロック単位で伸張する伸張処理と、
上記伸張されたブロック画像データを水平方向に分割してラスタ画像データに変換して出力する変換処理と、
上記ラスタ画像データを水平方向、垂直方向に変倍する変倍処理と、
上記変倍されたラスタ画像データを蓄積する蓄積処理とをコンピュータに実行させるためのプログラムを記憶したことを特徴とするコンピュータ読み取り可能な記憶媒体。
【請求項１５】  圧縮された画像データをブロック単位で伸張する伸張処理と、
上記伸張されたブロック画像データを水平方向に分割してラスタ画像データに変換して出力する変換処理と、
上記ラスタ画像データを水平方向、垂直方向に変倍する第１の変倍処理と、
上記変倍されたラスタ画像データを蓄積手段に蓄積する蓄積処理と、
上記蓄積手段から転送された上記変倍されたラスタ画像データを水平方向、垂直方向に変倍して上記蓄積手段に転送する第２の変倍処理とをコンピュータに実行させるためのプログラムを記憶したことを特徴とするコンピュータ読み取り可能な記憶媒体。
【請求項１６】  ブロック単位で入力されるブロック画像データをラスタ画像データに変換する変換ステップと、
上記変換されたラスタ画像データを水平方向及び垂直方向に変倍する変倍ステップとを有することを特徴とする画像処理方法。
【請求項１７】  圧縮された画像データをブロック単位で伸張する伸張ステップと、
上記伸張されたブロック画像データを水平方向に分割してラスタ画像データに変換して出力する変換ステップと、
上記ラスタ画像データを水平方向、垂直方向に変倍する変倍ステップと、
上記変倍されたラスタ画像データを蓄積する蓄積ステップとを有することを特徴とする画像処理方法。
【請求項１８】  圧縮された画像データをブロック単位で伸張する伸張ステップと、
上記伸張されたブロック画像データを水平方向に分割してラスタ画像データに変換して出力する変換ステップと、
上記ラスタ画像データを水平方向、垂直方向に変倍する第１の変倍ステップと、
上記変倍されたラスタ画像データを蓄積手段に蓄積する蓄積ステップと、
上記蓄積手段から転送された上記変倍されたラスタ画像データを水平方向、垂直方向に変倍して上記蓄積手段に転送する第２の変倍ステップとを有することを特徴とする画像処理方法。
【手続補正２】
【補正対象書類名】明細書
【補正対象項目名】０００５
【補正方法】変更
【補正の内容】
【０００５】
図２１は、ＤＲＡＭ上において処理可能な水平ピクセル数Ｈｐが画像データの水平ピクセル数Ｈａより大きい場合のＤＲＡＭ２００７上での処理の概念を表す図である。例えば、Ｈｐ＝１０２４、Ｈａ＝６４０の場合、従来では、図２１に示すように画像データを６４０ピクセル×８ライン、３８４ピクセル×８ラインの領域に分割して伸張処理を行う。すなわち、伸張回路２００３によって６４０×８ライン分のＭＣＵ（Ｍｉｎｉｍｕｍ  Ｃｏｄｅ  Ｕｎｉｔ）の画像データが伸張され、ブロックラスタ変換回路２００４によってバッファメモリ２００５に書き込まれたならば、ブロックラスタ変換を行い、ＤＲＡＭコントローラ２００６によって図２１のポインタＰ１から６４０ピクセル×８ラインのラスタ画像データをラスタ１の領域に書き込み、次の３８４×８ライン分の画像データが伸張され、バッファメモリ２００５に書き込まれたならば、ブロックラスタ変換を行い、ＤＲＡＭコントローラ２００６によって図２１のポインタＰ２から３８４ピクセル×８ラインのラスタ画像データをラスタ２の領域に書き込む。以降同様にラスタ３、ラスタ４、ラスタ５．．．と順次処理することによってバッファメモリ２００５の大きさに依存せずに任意の画素サイズの伸張を行うことができる。
【手続補正３】
【補正対象書類名】明細書
【補正対象項目名】０００８
【補正方法】変更
【補正の内容】
【０００８】
【課題を解決するための手段】
本発明による画像処理装置においては、ブロック単位で入力されるブロック画像データをラスタ画像データに変換して出力する変換手段と、上記変換手段により出力されたラスタ画像データを水平方向及び垂直方向に変倍する変倍手段とを設けている。
【手続補正４】
【補正対象書類名】明細書
【補正対象項目名】０００９
【補正方法】変更
【補正の内容】
【０００９】
本発明による他の画像処理装置においては、圧縮された画像データをブロック単位で伸張する伸張手段と、上記伸張手段によって伸張されたブロック画像データを水平方向に分割してラスタ画像データに変換して出力する変換手段と、上記変換手段により出力されたラスタ画像データを水平方向、垂直方向に変倍する変倍手段と、上記変倍手段により変倍されたラスタ画像データを蓄積する蓄積手段とを設けている。
【手続補正５】
【補正対象書類名】明細書
【補正対象項目名】００１０
【補正方法】変更
【補正の内容】
【００１０】
本発明による他の画像処理装置においては、圧縮された画像データをブロック単位で伸張する伸張手段と、上記伸張手段によって伸張されたブロック画像データを水平方向に分割してラスタ画像データに変換して出力する変換手段と、上記変換手段により出力されたラスタ画像データを水平方向に変倍する第１の変倍手段と、上記第１の変倍手段により変倍されたラスタ画像データを蓄積する蓄積手段と、上記蓄積手段から転送された上記変倍されたラスタ画像データを水平方向、垂直方向に変倍して上記蓄積手段に転送する第２の変倍手段とを設けている。
【手続補正６】
【補正対象書類名】明細書
【補正対象項目名】００１１
【補正方法】変更
【補正の内容】
【００１１】
本発明による記憶媒体においては、ブロック単位で入力されるブロック画像データをラスタ画像データに変換する変換処理と、上記変換されたラスタ画像データを水平方向及び垂直方向に変倍する変倍処理とをコンピュータに実行させるためのプログラムを記憶している。
【手続補正７】
【補正対象書類名】明細書
【補正対象項目名】００１２
【補正方法】変更
【補正の内容】
【００１２】
本発明による他の記憶媒体においては、圧縮された画像データをブロック単位で伸張する伸張処理と、上記伸張されたブロック画像データを水平方向に分割してラスタ画像データに変換して出力する変換処理と、上記ラスタ画像データを水平方向、垂直方向に変倍する変倍処理と、上記変倍されたラスタ画像データを蓄積する蓄積処理とをコンピュータに実行させるためのプログラムを記憶している。
【手続補正８】
【補正対象書類名】明細書
【補正対象項目名】００１３
【補正方法】変更
【補正の内容】
【００１３】
本発明による他の記憶媒体においては、圧縮された画像データをブロック単位で伸張する伸張処理と、上記伸張されたブロック画像データを水平方向に分割してラスタ画像データに変換して出力する変換処理と、上記ラスタ画像データを水平方向、垂直方向に変倍する第１の変倍処理と、上記変倍されたラスタ画像データを蓄積手段に蓄積する蓄積処理と、上記蓄積手段から転送された上記変倍されたラスタ画像データを水平方向、垂直方向に変倍して上記蓄積手段に転送する第２の変倍処理とをコンピュータに実行させるためのプログラムを記憶している。
【手続補正９】
【補正対象書類名】明細書
【補正対象項目名】００１４
【補正方法】変更
【補正の内容】
【００１４】
本発明による画像処理方法においては、ブロック単位で入力されるブロック画像データをラスタ画像データに変換する変換ステップと、上記変換されたラスタ画像データを水平方向及び垂直方向に変倍する変倍ステップとを有している。
【手続補正１０】
【補正対象書類名】明細書
【補正対象項目名】００１５
【補正方法】変更
【補正の内容】
【００１５】
本発明による他の画像処理方法においては、圧縮された画像データをブロック単位で伸張する伸張ステップと、上記伸張されたブロック画像データを水平方向に分割してラスタ画像データに変換して出力する変換ステップと、上記ラスタ画像データを水平方向、垂直方向に変倍する変倍ステップと、上記変倍されたラスタ画像データを蓄積する蓄積ステップとを有している。
【手続補正１１】
【補正対象書類名】明細書
【補正対象項目名】００１６
【補正方法】変更
【補正の内容】
【００１６】
本発明による他の画像処理方法においては、圧縮された画像データをブロック単位で伸張する伸張ステップと、上記伸張されたブロック画像データを水平方向に分割してラスタ画像データに変換して出力する変換ステップと、上記ラスタ画像データを水平方向、垂直方向に変倍する第１の変倍ステップと、上記変倍されたラスタ画像データを蓄積手段に蓄積する蓄積ステップと、上記蓄積手段から転送された上記変倍されたラスタ画像データを水平方向、垂直方向に変倍して上記蓄積手段に転送する第２の変倍ステップとを有している。
【手続補正１２】
【補正対象書類名】明細書
【補正対象項目名】００３９
【補正方法】変更
【補正の内容】
【００３９】
まず縮小率は、水平方向が、
７５２／２０４８＝４７／１２８
となり、垂直方向が、
４８５／１５３６＝７／２２
となる。